(57)【要約】【課題】表示領域を大きく確保した構成の航海機器を提供する。【解決手段】魚群探知機（航海機器）は、メニュー表示制御部を備える。メニュー表示制御部は、メインメニューボタン５１を並べて表示部に表示する。メニュー表示制御部は、メインメニューボタン５１が選択された場合であって、メインメニューボタン５１に下位メニューが存在するときは、第１下位メニューボタン５２を新たに表示する。メニュー表示制御部は、ショートカットボタンを表示する指示を受け付けると、メインメニューボタン５１を非表示にして、メインメニューボタン５１と同じ位置であって同じ方向に並べて複数のショートカットボタンを表示する。メニュー表示制御部は、ショートカットボタンが選択された場合であって、ショートカットボタンに下位メニューが存在するときは、下位メニューショートカットボタンを新たに表示する。【選択図】図３
2020095047.tif 000002
【特許請求の範囲】
【請求項１】
表示部にメニューボタンを並べて表示するメニュー表示制御部を備え、
前記メニュー表示制御部は、前記メニューボタンが選択された場合であって、当該メニューボタンに下位メニューが存在するときは、下位メニューボタンを新たに表示し、
前記メニュー表示制御部は、前記メニューボタン又は前記下位メニューボタンから選択されたボタンの機能が登録されたショートカットボタンを表示する指示を受け付けると、前記メニューボタンを非表示にして、非表示となった前記メニューボタンと同じ位置であって同じ方向に並べて複数の前記ショートカットボタンを表示し、
前記メニュー表示制御部は、前記ショートカットボタンが選択された場合であって、当該ショートカットボタンに下位メニューが存在するときは、下位メニューショートカットボタンを新たに表示することを特徴とする航海機器。
【請求項２】
請求項１に記載の航海機器であって、
前記メニュー表示制御部は、前記下位メニューボタンを、前記メニューボタンの隣に、当該メニューボタンの配列方向と垂直な方向に並べて表示することを特徴とする航海機器。
【請求項３】
請求項１又は２に記載の航海機器であって、
前記メニュー表示制御部は、少なくとも前記下位メニューボタンの選択を受け付けている間において、前記メニューボタンから背景が透けるように当該メニューボタンを半透明で表示することを特徴とする航海機器。
【請求項４】
請求項１から３までの何れか一項に記載の航海機器であって、
前記メニュー表示制御部は、前記ショートカットボタンを表示する場合、同じ機能を有する前記メニューボタン又は前記下位メニューボタンに加え、ショートカットであることを示す表示を付加することを特徴とする航海機器。
【請求項５】
請求項１から４までの何れか一項に記載の航海機器であって、
前記メニュー表示制御部は、前記メニューボタンの配列方向で当該メニューボタンと隣り合うように配置された切替ボタンを表示し、
前記メニュー表示制御部は、前記切替ボタンが選択されることで、前記メニューボタンを表示するか、前記ショートカットボタンを表示するかを切り替えることを特徴とする航海機器。
【請求項６】
請求項１から５までの何れか一項に記載の航海機器であって、
前記メニュー表示制御部は、操作部に行われた操作に基づいてポインタを移動させ、
前記ポインタで前記メニューボタン又は前記下位メニューボタンがドラッグアンドドロップされることで、当該メニューボタン又は当該下位メニューボタンを前記ショートカットボタンとして登録することを特徴とする航海機器。
【請求項７】
請求項１から６までの何れか一項に記載の航海機器であって、
前記メニュー表示制御部は、前記メニューボタンを矩形のアイコンで表示することを特徴とする航海機器。
【請求項８】
請求項１から７までの何れか一項に記載の航海機器であって、
前記表示部は、レーダ装置が作成した映像を表示することを特徴とする航海機器。
【請求項９】
請求項１から７までの何れか一項に記載の航海機器であって、
前記表示部は、航法装置が作成した映像を表示することを特徴とする航海機器。
【発明の詳細な説明】
【技術分野】
【０００１】
本発明は、主として、航海機器のメニューボタンの表示に関する。
【背景技術】
【０００２】
従来から、水中に超音波を送信して、その反射であるエコー信号を解析することで水中を探知する水中探知装置が知られている。水中探知装置は、深度に応じたエコー信号の信号レベルを時系列に並べた（エコー信号の取得順に並べた）映像である探知映像を作成して表示する。
【０００３】
特許文献１の測深装置では、ディスプレイの右に複数のスイッチが配置されている。このスイッチを操作することで、メニュー画面を表示することができる。このメニュー画面は、探知映像の中央に大きく配置される。また、特許文献２の魚群探知機では、探知映像の下方にメニュー画面が表示されている。
【先行技術文献】
【特許文献】
【０００４】
【特許文献１】特開２００１−９２５７６号公報
【特許文献２】特開平２−１２４４９２号公報
【発明の概要】
【発明が解決しようとする課題】
【０００５】
しかし、特許文献１では、メニュー画面が探知映像の中央に大きく表示されるので、メニュー画面の表示中に探知映像が確認しにくいという課題があった。特許文献２では、メニュー画面によって探知映像が隠れないが、メニュー画面が画面領域の一部を占めるため、探知映像が小さくなるという課題があった。
【０００６】
本発明の主要な目的は、表示領域を大きく確保した構成の航海機器を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の航海機器が提供される。即ち、航海機器は、表示部にメニューボタンを並べて表示するメニュー表示制御部を備える。前記メニュー表示制御部は、前記メニューボタンが選択された場合であって、当該メニューボタンに下位メニューが存在するときは、下位メニューボタンを新たに表示する。前記メニュー表示制御部は、前記メニューボタン又は前記下位メニューボタンから選択されたボタンの機能が登録されたショートカットボタンを表示する指示を受け付けると、前記メニューボタンを非表示にして、非表示となった前記メニューボタンと同じ位置であって同じ方向に並べて複数の前記ショートカットボタンを表示する。前記メニュー表示制御部は、前記ショートカットボタンが選択された場合であって、当該ショートカットボタンに下位メニューが存在するときは、下位メニューショートカットボタンを新たに表示する。
【０００９】
これにより、必要な場合にしか下位メニューボタンが表示されない。
【００１０】
前記の航海機器においては、前記メニュー表示制御部は、前記下位メニューボタンを、前記メニューボタンの隣に、当該メニューボタンの配列方向と垂直な方向に並べて表示することが好ましい。
【００１１】
これにより、選択したメニューボタンの近くに下位メニューボタンが表示されるので、下位メニューボタンの選択をスムーズに行うことができる。また、メニューボタンと垂直な方向に下位メニューボタンを並べることで、メニューボタンと下位メニューボタンとが重なることを防止できる。
【００１２】
前記の航海機器においては、前記メニュー表示制御部は、少なくとも前記下位メニューボタンの選択を受け付けている間において、前記メニューボタンから背景が透けるように当該メニューボタンを半透明で表示することが好ましい。
【００１３】
前記の航海機器においては、以下の構成とすることが好ましい。即ち、前記メニュー表示制御部は、ショートカットボタンを表示する指示を受け付けると、前記メニューボタンを非表示にして、ショートカットボタンとして登録された前記メニューボタンを表示する。前記メニュー表示制御部は、前記ショートカットボタンが選択された場合であって、当該ショートカットボタンに下位メニューが存在するときは、下位メニューボタンを新たに表示する。
【００１４】
前記の航海機器においては、前記メニュー表示制御部は、前記ショートカットボタンを表示する場合、同じ機能を有する前記メニューボタン又は前記下位メニューボタンに加え、ショートカットであることを示す表示を付加することが好ましい。
【００１５】
これにより、画面にはメニューボタンかショートカットの何れかしか表示されないので、「ショートカットであることを示す表示」を付加することで、ユーザは、何れが表示されているかを瞬時に把握することができる。
【００１６】
前記の航海機器においては、以下の構成とすることが好ましい。即ち、前記メニュー表示制御部は、前記メニューボタンの配列方向で当該メニューボタンと隣り合うように配置された切替ボタンを表示する。前記メニュー表示制御部は、前記切替ボタンが選択されることで、前記メニューボタンを表示するか、前記ショートカットボタンを表示するかを切り替える。
【００１７】
これにより、ショートカットボタンを表示する際のポインタの移動量又はユーザの視線移動等を少なくすることができる。
【００１８】
前記の航海機器においては、以下の構成とすることが好ましい。即ち、前記メニュー表示制御部は、操作部に行われた操作に基づいてポインタを移動させる。前記ポインタで前記メニューボタン又は前記下位メニューボタンがドラッグアンドドロップされることで、当該メニューボタン又は当該下位メニューボタンを前記ショートカットボタンとして登録する。
【００１９】
これにより、簡単かつ直感的な操作でショートカットを登録することができる。
【００２０】
前記の航海機器においては、前記メニュー表示制御部は、前記メニューボタンを矩形のアイコンで表示することが好ましい。
【００２１】
これにより、メニューボタンを小さいスペースで表示することができる。
【００２２】
前記の航海機器においては、前記表示部は、レーダ装置が作成した映像を表示することが好ましい。
【００２３】
前記の航海機器においては、前記表示部は、航法装置が作成した映像を表示することが好ましい。
【図面の簡単な説明】
【００２４】
【図１】本発明の一実施形態に係る魚群探知機の構成を示すブロック図。
【図２】表示部に表示される画面の例を示す図。
【図３】第１下位メニューボタンを表示中の画面を示す図。
【図４】第２下位メニューボタンを表示中の画面を示す図。
【図５】ショートカットボタンを表示中の画面を示す図。
【図６】ショートカットを登録する作業（ドラッグ前）を示す図。
【図７】ショートカットを登録する作業（ドラッグ後）を示す図。
【図８】ショートカットを登録する作業後の画面を示す図。
【図９】時間軸方向の流れが異なる場合のメニューボタンの配置を示す図。
【図１０】画面に２つの探知映像を表示する場合の画面を示す図。
【発明を実施するための形態】
【００２５】
次に、図面を参照して本発明の実施の形態を説明する。図１は、魚群探知機（水中探知装置）１０の構成を示すブロック図である。
【００２６】
魚群探知機１０は、水中に向けて超音波を送信するとともに、当該超音波の反射波であるエコー信号を受信する。魚群探知機１０は、このエコー信号に基づいて魚群及び海底等の深度を示す探知映像を作成して表示する。以下、魚群探知機１０の詳細について説明する。
【００２７】
図１に示すように、魚群探知機１０は、制御部１１と、送信回路１２と、送受切替器１３と、送受波器１４と、受信回路１５と、Ａ／Ｄ変換器１６と、エコー信号保持メモリ１７と、表示部１８と、操作部１９と、を備える。
【００２８】
制御部１１が備える送信指示部３１は、超音波を発生させるタイミング及び超音波の振幅等を指示する信号を作成し、送信回路１２へ出力する。
【００２９】
送信回路１２は、トラップ回路等を備えており、送信指示部３１から受けた信号に基づいて、パルス信号を作成し、送受切替器１３を介して送受波器１４へ出力する。
【００３０】
送受波器１４は、船底等に取り付けられる振動子であり、送信回路１２から受けた信号に基づいて、水中（例えば真下方向）に向けて超音波を送信する。また、送受波器１４は、この超音波が魚や海底によって反射した反射波をエコー信号として受信する。送受波器１４は、受信したエコー信号を、送受切替器１３を介して受信回路１５へ出力する。
【００３１】
送受切替器１３は、送信回路１２が出力した信号を送受波器１４へ出力するとともに、送受波器１４が取得したエコー信号を受信回路１５へ出力する。
【００３２】
受信回路１５は、入力されたエコー信号を増幅する等して、Ａ／Ｄ変換器１６へ出力する。Ａ／Ｄ変換器１６は、入力されたエコー信号をアナログ信号からデジタル信号に変換し、制御部１１へ出力する。
【００３３】
制御部１１が備えるエコー信号処理部３２は、Ａ／Ｄ変換器１６から入力されたエコー信号を処理する。具体的には、エコー信号処理部３２は、超音波を送信してから受信するまでの時間に基づいて深度を把握し、当該深度に応じたエコー信号の信号レベルを検出する。なお、エコー信号処理部３２は、図示しないＦＰＧＡやＣＰＵ等がプログラムを実行することで実現されている。
【００３４】
エコー信号保持メモリ１７は、データを保存可能な揮発性又は不揮発性のメモリである。エコー信号保持メモリ１７には、エコー信号処理部３２が検出した「深度に応じたエコー信号の信号レベル」がエコー信号を送信又は受信したタイミングと対応付けて記憶されている。なお、エコー信号保持メモリ１７には、エコー信号処理部３２が処理する前のデータが記憶されていても良い。
【００３５】
制御部１１が備える探知映像表示制御部３３は、エコー信号処理部３２が検出した「深度に応じたエコー信号の信号レベル」に基づいて探知映像を作成する。探知映像表示制御部３３が作成した探知映像は、液晶ディスプレイ等で構成される表示部１８に表示される。探知映像は、深度に応じたエコー信号の信号レベルを時系列に並べた（エコー信号の取得順に並べた）映像である。図２に示すように、探知映像は、縦軸が深度方向であり、横軸が時間軸方向である。魚群探知機１０が受信したエコー信号は、信号レベルに応じた色味又は濃淡で表示される。また、超音波の１回の送受信で得られるエコー信号は、探知映像上において所定の幅（時間軸方向の幅）で示される。探知映像表示制御部３３は、新たに超音波を送信してエコー信号を受信する毎に、探知映像を時間軸方向の過去側に移動させ、新たな探知映像を時間軸方向の現在側の端部（最も新しい情報を表示する端部）に追加して表示する。
【００３６】
また、制御部１１が備えるメニュー表示制御部３４は、各種の設定を行うメニューボタンを表示する制御、各種の情報（現在の設定値、エコー信号から検出した情報、外部機器から入力された情報）等を表示する制御、及び画面に表示されるポインタ又はカーソル等を移動させる制御も行う。探知映像表示制御部３３及びメニュー表示制御部３４が生成した画像は、表示部１８に表示される。なお、探知映像表示制御部３３及びメニュー表示制御部３４は、図示しないＦＰＧＡやＣＰＵ等がプログラムを実行することで実現されている。
【００３７】
操作部１９は、マウス又はトラックボールであり、画面に表示されるポインタを移動させる操作が可能な装置である。なお、操作部１９は、他のポインティングデバイス（タッチパッド付きのキーボード等）であっても良い。また、操作部１９は、物理キーに限られず、タッチパネルであっても良い。
【００３８】
次に、図２から図５を参照して、魚群探知機１０の画面について説明する。なお、本明細書において「メニューボタン」の「ボタン」とは、「画面上においてポインタ等で選択するためのグラフィカルユーザインタフェースの一種」である。また、「端部」とは、端だけでなく、その周囲（例えばアイコン１つ程度）を含む概念である。
【００３９】
表示部１８の画面には、図２に示すように、探知映像としての魚群エコー４１及び海底エコー４３が表示されている。魚群エコー４１は、超音波が魚群で反射した反射波のエコー信号である。海底エコー４３は、超音波が海底で反射した反射波のエコー信号である。
【００４０】
また、表示部１８の画面には、図２に示すように、表示物としての、水深表示部６１、水深スケール６２、及び信号レベルスケール６３が探知映像に重畳するように表示されている。水深表示部６１には、現在の水深が表示されている。現在の水深は、直近に受信したエコー信号等に基づいて検出されている。水深スケール６２は、複数の目盛りで構成されており、エコー信号の深度を示している。水深スケール６２は、探知映像の深度範囲が変更されると、それに応じて目盛りの間隔及び数値が変更される。信号レベルスケール６３は、信号レベルの強さとエコーの濃淡又は色味等との対応関係を示す表示である。
【００４１】
また、表示部１８の画面には、図２に示すように、メインメニューボタン（メニューボタン）５１が表示されている。メインメニューボタン５１は、矩形の枠及びアイコンから構成されている。メインメニューボタン５１は、魚群探知機１０の設定を変更したり、様々な機能の実行を指示したりするためのボタンである。メインメニューボタン５１は、探知映像の左端部（時間軸方向の過去側の端部、古い情報を表示する端部）であって上端部（深度方向の浅い側の端部）から深度方向に並べて表示されている（換言すれば探知映像の過去側の端部に沿って上端から下方へ並べて表示されている）。メニュー表示制御部３４は、ユーザがポインタ９１を移動させてメインメニューボタン５１を左クリックしたことを検出した場合、当該メインメニューボタン５１が選択された（選択が確定されたことを意味する、以下同じ）と判断する。
【００４２】
メニュー表示制御部３４は、メインメニューボタン５１が選択された場合であって、下位のメニューが存在しないときは、選択したメインメニューボタン５１に関連付けられた処理を実行する。一方でメインメニューボタン５１が選択された場合であって、下位のメニューが存在するときは、図３に示すように第１下位メニューボタン５２を新たに表示する。第１下位メニューボタン５２は、メインメニューボタン５１を選択する前は表示されないので、探知映像の視認性の低下を防止できる。また、本実施形態では、メインメニューボタン５１は深度方向のみに並べて表示され、時間軸方向には並べて表示されていない。従って、探知映像の視認性の低下を防止できる。なお、探知映像は時間の経過に応じて変化し続けているため、探知映像の視認性の低下を防止することは非常に有効である。
【００４３】
第１下位メニューボタン５２は、メインメニューボタン５１と同様に、矩形の枠及びアイコンから構成されている。第１下位メニューボタン５２は、上位のメインメニューボタン５１の隣であって、メインメニューボタン５１の配列方向と垂直な方向（具体的には、時間軸方向）に並べて表示される。メニュー表示制御部３４は、ユーザがポインタ９１を移動させて第１下位メニューボタン５２を左クリックしたことを検出した場合、当該第１下位メニューボタン５２が選択されたと判断する。
【００４４】
ここで、本実施形態では、階層構造のメニューボタンを表示する場合において、選択待機中（選択を受け付けている間）のメニューボタンより上位のメニューボタンは、探知映像が見えるように半透明で表示される。図３に示す例では、第１下位メニューボタン５２を選択待機中であるため、その上位のメインメニューボタン５１が半透明で表示されており、メインメニューボタン５１から魚群エコー４１が透けて表示されている。上述の特許文献４では最上位及びその下位のメニューボタンを半透明にすることは開示されていないが、本実施形態では最上位及び下位であっても半透明となる。なお、ポインタ９１で探知映像をクリックすることで、選択待機が解除され、図２に示す状態に戻る。
【００４５】
メニュー表示制御部３４は、第１下位メニューボタン５２が選択された場合であって、下位のメニューが存在しない場合は、選択された第１下位メニューボタン５２に関連付けられた処理を実行する。一方でメニュー表示制御部３４は、第１下位メニューボタン５２が選択された場合であって、下位のメニューが存在するときは、図４に示すように第２下位メニューボタン５３を新たに表示する。
【００４６】
第２下位メニューボタン５３は、メインメニューボタン５１等と同様に、矩形の枠及びアイコンから構成されている。第２下位メニューボタン５３は、上位の第１下位メニューボタン５２の隣であって、第１下位メニューボタン５２の配列方向と垂直な方向（具体的には、深度方向の深い側）に並べて表示される。メニュー表示制御部３４は、ユーザがポインタ９１を移動させて第２下位メニューボタン５３が左クリックしたことを検出した場合、当該第２下位メニューボタン５３が選択されたと判断する。
【００４７】
上述のように、選択待機中のメニューボタンより上位のメニューボタンは、探知映像が見えるように半透明で表示される。従って、図４に示す例では、メインメニューボタン５１及び第１下位メニューボタン５２が半透明で表示される。
【００４８】
なお、第２下位メニューボタン５３よりも下位のメニューが存在する場合、メニュー表示制御部３４は、同様に第３下位メニューボタンを時間軸方向に並べて表示する。
【００４９】
また、メインメニューボタン５１の配列方向の一方側（深度方向の浅い側）には、メインメニューボタン５１と隣り合うように切替ボタン５５が表示されている。メニュー表示制御部３４は、ユーザがポインタ９１を移動させて切替ボタン５５を左クリックしたことを検出した場合、図５に示すように、メインメニューボタン５１を非表示にしてショートカットボタン５７の一覧を表示する。このように、メインメニューボタン５１を非表示にすることで、ボタンの表示数を抑えることができるので、探知映像の視認性の低下を抑えることができる。また、切替ボタン５５がメインメニューボタン５１の近くに配置されるので、操作部１９の移動量及びユーザの視線移動を抑えることができる。メニュー表示制御部３４は、ショートカットボタン５７の一覧の表示中において、ユーザが切替ボタン５５を左クリックしたことを検出した場合、ショートカットボタン５７を非表示にしてメインメニューボタン５１を表示する。なお、切替ボタン５５を左クリックする操作に代えて又は加えて、画面上（例えば探知映像上又はメニューボタン上）で右クリックされた場合に、同様の処理が行われても良い。
【００５０】
メニューの構成について具体例を挙げると、メインメニューボタン５１としては、探知映像設定、画面設定、グラフ表示、音設定、動画設定等がある。探知映像設定の下位としては、ゲイン調整及びノイズ除去等がある。画面設定の下位としては、ディスプレイの分割（後述の図１０）、輝度調整、水深表示部６１の設定等がある。輝度調整の更に下位としては、昼間モード及び夜間モードがある。グラフ表示の下位としては、所定の領域に存在する魚の魚体長の分布、水温グラフの表示等がある。
【００５１】
ショートカットボタン５７は、メインメニューボタン５１と同じ位置で同じ方向に並べて表示される。ショートカットボタン５７は、メインメニューボタン５１、第１下位メニューボタン５２、第２下位メニューボタン５３からユーザが抽出したメニューボタンである。これにより、頻繁に用いるメニューボタン（特に下位のメニューボタン）をショートカットとして登録することで、メニューボタンの選択を素早くかつ探知映像に重ならないように行うことができる。ショートカットボタン５７の表示中は切替ボタン５５の表示態様が変化する（具体的には三角のマークの上下の向きが逆になる）。また、ショートカットボタン５７を表示する場合、同じ機能を有するメインメニューボタン５１等のアイコンに加え、ショートカットであることを示す表示（図５に示す例では左上の三角マーク）を付加する。これにより、ユーザは、メインメニューボタン５１とショートカットボタン５７の何れが表示されているかを瞬時に把握することができる。また、メニュー表示制御部３４は、ショートカットボタン５７が選択された場合であって、当該ショートカットボタン５７に下位メニューが存在するときは、当該下位メニューボタンを新たに表示する。
【００５２】
また、表示部１８の画面には、図２に示すように、アラームアイコン５９が表示されている。アラームアイコン５９は、超音波が送受信できない、ネットワークに繋がらない、及び操作部１９が動作しない等の場合に点滅等してユーザに知らせるためのものである。
【００５３】
次に、図６から図８を参照して、ショートカットボタン５７の登録方法について説明する。
【００５４】
図６は、メインメニューボタン５１を選択して第１下位メニューボタン５２を表示させている様子を示す図である。この状態から、第１下位メニューボタン５２をドラッグ（操作部１９の左ボタンを押しながらポインタ９１を移動）することで、図７に示すように、ショートカットボタン５７の一覧及びショートカットボタン空き領域５７ａが表示される。
【００５５】
ユーザは、第１下位メニューボタン５２をショートカットボタン空き領域５７ａに移動させることで、この第１下位メニューボタン５２をショートカットとして登録することができる（図８を参照）。なお、メインメニューボタン５１及び第２下位メニューボタン５３をショートカットとして登録する場合も、同様の操作で登録することができる。なお、ショートカットの登録方法は任意であり、異なる方法で登録可能であっても良い。
【００５６】
次に、図９を参照して、時間軸方向の向きが反対の場合（即ち、過去側が画面の右側になる場合）について説明する。
【００５７】
この場合、メインメニューボタン５１は、探知映像の右端部（時間軸方向の過去側の端部）に、深度方向に並べて表示される。ユーザは探知映像の新しい情報を優先して確認するため、最も過去側の端部からメニューボタンを並べることで、探知映像の視認性の低下を最小限にすることができる。そのため、本実施形態では、メインメニューボタン５１を選択して、探知映像の時間軸方向を変更した場合、メインメニューボタン５１の表示位置が変更される。なお、図９に示す例では、メインメニューボタン５１の表示位置の変更に伴い、水深スケール６２が左端部（時間軸方向の現在側の端部）に表示されている。
【００５８】
次に、図１０を参照して、表示部１８に２つの探知映像を表示する場合について説明する。
【００５９】
図１０には、高周波の超音波を用いて検出された探知映像と、低周波の超音波を用いて検出された探知映像と、を左右に（時間軸方向に）並べて表示している。これらの２つの探知映像は、時間軸方向及び深度方向の向きが等しい。しかし、２つの探知映像で、時間軸方向及び深度方向の向きが異なっていても良い。例えば、２つの探知映像で、左右方向の中央側を時間軸方向の現在側に設定し、左右方向の端側を時間軸方向の過去側に設定しても良い。
【００６０】
２つの探知映像を表示する場合において、メインメニューボタン５１は何れかの探知映像の時間軸方向の過去側に表示される。本実施形態では、左側の探知映像にメインメニューボタン５１が表示されるが、右側の探知映像にメインメニューボタン５１が表示されていても良い。また、メインメニューボタン５１は、２つの探知映像にそれぞれ表示されていても良い。
【００６１】
以上に説明したように、本実施形態の魚群探知機１０は、エコー信号処理部３２と、探知映像表示制御部３３と、メニュー表示制御部３４と、を備える。エコー信号処理部３２は、水中に送信した超音波の反射波であるエコー信号を取得し、深度に応じたエコー信号の信号レベルを検出する。探知映像表示制御部３３は、エコー信号処理部３２の検出結果に基づいて、深度に応じたエコー信号の信号レベルを時系列に並べた映像である探知映像を表示部１８に表示する。メニュー表示制御部３４は、探知映像上であって当該探知映像の最も古い情報を表示する端部（過去側の端部）から深度方向及び時間軸方向の少なくとも何れかの方向にメインメニューボタン５１を並べて表示部に表示する。
【００６２】
これにより、ユーザは探知映像の古い情報より新しい情報を優先して確認するため、最も古い情報を表示する端部からメニューボタンを並べることで、探知映像の視認性の低下を最小限にすることができる。また、メニューボタンを探知映像上に表示することにより、表示部の画面サイズを有効に活用して探知映像を大きく表示することができる。
【００６３】
以上に本発明の好適な実施の形態を説明したが、上記の構成は例えば以下のように変更することができる。
【００６４】
上記実施形態で記載した時間軸方向及び深度方向の設定の仕方は一例であり、適宜変更できる。例えば、時間軸方向を画面の上下にして、深度方向を画面の左右にしても良い。この場合、メインメニューボタン５１は上下方向の端部から並べて配置される。また、画面に表示される探知映像の数は３つ以上であっても良い。
【００６５】
上記実施形態では、メインメニューボタン５１は、時間軸方向の過去側の端部において、深度方向に並べて配置されている。これに代えて、メインメニューボタン５１は、少なくとも１つが時間軸方向の過去側の端部に位置するように、時間軸方向に並べて配置されていても良い。また、深度方向及び時間軸方向の両方に並べて配置されていても良い。メインメニューボタン５１は、矩形（詳細には略正方形）であるが、円形等の別の形状であっても良い。また、メインメニューボタン５１はアイコンに限られず、メニューの名称が記載された枠状の表示物であっても良い。
【００６６】
上記実施形態では、切替ボタン５５は、メインメニューボタン５１の上方（深度方向の浅い方）に表示されているが、別の場所に表示されていても良い。例えば、メインメニューボタン５１の下方であっても良いし、右方であっても良い。また、ショートカットボタン５７は、メインメニューボタン５１を非表示にして表示されるが、メインメニューボタン５１とショートカットボタン５７とを同時に表示しても良い。
【００６７】
上記実施形態では、操作部１９としてマウスを用いた例を説明したため、メインメニューボタン５１等の選択方法としてポインタ９１の移動及び左クリックを用いる例を説明したが、上記で挙げた別の装置を用いる場合は、当該装置に応じた選択方法が用いられる。
【００６８】
上記実施形態では、左右方向（時間軸方向）において、画面の端と探知映像の端とが一致しているが、必ずしも一致していなくても良い。例えば、探知映像と別の映像を左右に並べて表示する場合、画面の端と探知映像の端とは一致しない。
【００６９】
上記実施形態では、表示部１８は主として魚群探知機１０の探知映像のみを表示するが、他の航海機器（レーダ装置、航法装置等）が作成した映像を更に表示する構成であっても良い。また、操作部１９は、主として魚群探知機１０に関する操作を行うためのものであるが、他の航海機器に関する操作を更に行うためのものであっても良い。
【００７０】
本実施形態では、主として魚群を探知する魚群探知機１０に本発明を適用する例を示したが、探知する対象は魚群に限られず、例えば沈んだ船舶、水産資源、海底の形状等であっても良い。
【符号の説明】
【００７１】
１０  魚群探知機（水中探知装置）
１１  制御部
１４  送受波器
１８  表示部
１９  操作部
３１  送信指示部
３２  エコー信号処理部
３３  探知映像表示制御部
３４  メニュー表示制御部
５１  メインメニューボタン（メニューボタン）
５２  第１下位メニューボタン（下位メニューボタン）
５３  第２下位メニューボタン
５５  切替ボタン
５７  ショートカットボタン
【図１】
2020095047.tif 000003
【図２】
2020095047.tif 000004
【図３】
2020095047.tif 000005
【図４】
2020095047.tif 000006
【図５】
2020095047.tif 000007
【図６】
2020095047.tif 000008
【図７】
2020095047.tif 000009
【図８】
2020095047.tif 000010
【図９】
2020095047.tif 000011
【図１０】
2020095047.tif 000012